(57)【要約】【課題】放送枠の変更や再放送に合わせて、放送番組に挿入する字幕素材の再編集を自動で行い得る字幕送出装置を提供する。【解決手段】オリジナルの字幕素材データを蓄積部１４に１度登録しておき、自動的にあるいは操作端末１６によるオペレータの編集指示入力に従って、字幕編集装置１５にて蓄積部１４に格納された字幕素材データを複数のロールに分割し、ロールごとに字幕素材データを順次再生し、挿入部１３にて放送番組にロールごとの字幕素材データを挿入するようにしている。【選択図】      図１
2010074658.tif 000002
【特許請求の範囲】
【請求項１】
画面上の指定位置に字幕を表示する放送番組を提供する放送システムに用いられる字幕送出装置において、
予めオンエア用放送番組に挿入するページ構造の字幕素材データを格納する蓄積部と、
この蓄積部から再生される字幕素材データを前記放送番組に挿入する挿入部と、
前記蓄積部の再生を制御する制御部とを具備し、
前記制御部は、編集指示入力に従って放送開始タイミング及び放送時間枠を定義するオンエア番組情報とその番組管理情報に含まれる記録領域の開始位置と終了位置、収録時間の情報を取得し、少なくとも開始位置後、終了位置前の一定期間をロールとして指定して前記蓄積部から字幕素材データをロールごとに順次再生させ、前記挿入部に再生されたロールを前記放送番組に挿入させる字幕編集機能を有することを特徴とする字幕送出装置。
【請求項２】
前記蓄積部は、それぞれ挿入する放送番組を識別する字幕ＩＤを付加した複数の字幕素材データを格納し、
前記制御部は、指定された字幕ＩＤに対応する字幕素材データについて、前記蓄積部から字幕素材データをロールごとに順次再生させ、前記挿入部に再生されたロールを前記放送番組に挿入させることを特徴とする請求項１記載の字幕送出装置。
【請求項３】
前記制御部は、送出タイミングが字幕素材データの先頭開始位置より後にある場合に、送出タイミングと重なる字幕ページを削除することを特徴とする請求項１記載の字幕送出装置。
【請求項４】
前記制御部は、送出タイミングが字幕素材データの終了位置より前にある場合に、送出タイミングと重なる字幕ページを削除し、終了位置の所定時間前に字幕消去パケットページを挿入することを特徴とする請求項１記載の字幕送出装置。
【請求項５】
前記制御部は、送出タイミングが連続する複数ロールのうちの第１のロールの開始位置より前にある場合に、第１のロールの前に位置する第２のロールの送出タイミングと重なる字幕ページを削除し、前記第１のロールの開始位置の所定時間前に字幕消去パケットページを挿入することを特徴とする請求項１記載の字幕送出装置。
【請求項６】
前記ロールまたは再生時間を指定する指定手段を備え、
前記制御部は、前記ロールまたは再生時間の指定入力に応じて前記ロールまたは再生時間を変更することを特徴とする請求項１記載の字幕送出装置。
【請求項７】
予めオンエア用放送番組に挿入するページ構造の字幕素材データを格納する蓄積部と、この蓄積部から再生される字幕素材データを前記放送番組に挿入する挿入部と、前記蓄積部の再生を制御する制御部とを具備した字幕送出装置に用いられ、
編集指示入力に従って放送開始タイミング及び放送時間枠を定義するオンエア番組情報とその番組管理情報に含まれる記録領域の開始位置と終了位置、収録時間の情報を取得し、
少なくとも開始位置後、終了位置前の一定期間をロールとして特定し、
前記ロールを指定して前記蓄積部から字幕素材データを順次再生させ、前記挿入部に再生されたロールを前記放送番組に挿入させることを特徴とする字幕編集処理方法。
【発明の詳細な説明】
【技術分野】
【０００１】
この発明は、映像表示に合わせて字幕を表示させる技術に係り、特に番組の放送枠の変更に合わせた適切な字幕表示を実現するものに関する。
【背景技術】
【０００２】
現在、地上デジタル放送にあっては、視覚効果を高めると共に視聴覚障害者の視聴を配慮するために、番組の映像表示に合わせて画面上の指定位置に字幕を表示する機能が盛り込まれている。
【０００３】
ところで、字幕付き番組を放送する放送番組送出システムにあっては、字幕付き番組の送出素材を予めサーバに収録しておき、自動番組送出制御装置（ＡＰＣ）からの指示に従って該当する素材を再生し、オンエアを行うようになっている。このようなオンエア処理において、通常、オンエア前に放送枠の変更があった場合に、その変更に合わせてサーバに格納された素材の中で映像の抜き取りや差し替えが行われ、それに伴う字幕文の抜き取りや差し替えが行われる（例えば、特許文献１）。
【特許文献１】特開２００７−２０２０９４公報。
【発明の開示】
【発明が解決しようとする課題】
【０００４】
ところが、放送枠の変更による字幕文の抜き取りや差し替えの作業の大半をオペレータによる人為的作業によって行っているため、オペレータにとっては煩雑な作業が強いられている。
【０００５】
そこで、この発明の目的は、放送枠の変更や再放送に合わせて、放送番組に挿入する字幕素材の再編集を自動で行い得る字幕送出装置とその字幕編集処理方法を提供することにある。
【課題を解決するための手段】
【０００６】
上記目的を達成するために、この発明に係る字幕送出装置は、画面上の指定位置に字幕を表示する放送番組を提供する放送システムに用いられる字幕送出装置において、予めオンエア用放送番組に挿入するページ構造の字幕素材データを格納する蓄積部と、この蓄積部から再生される字幕素材データを放送番組に挿入する挿入部と、蓄積部の再生を制御する制御部とを具備し、制御部は、編集指示入力に従って放送開始タイミング及び放送時間枠を定義するオンエア番組情報とその番組管理情報に含まれる記録領域の開始位置と終了位置、収録時間の情報を取得し、少なくとも開始位置後、終了位置前の一定期間をロールとして指定して蓄積部から字幕素材データをロールごとに順次再生させ、挿入部に再生されたロールを放送番組に挿入させる字幕編集機能を有する。
【０００７】
この構成によれば、オリジナルの字幕素材データを蓄積部に１度登録しておくだけで、自動的にあるいはオペレータの編集指示入力に従って、蓄積部に格納された字幕素材データが複数のロールに分割され、ロールごとに順次再生されて放送番組に挿入されることになる。
【０００８】
従って、放送枠の変更や再放送に合わせて、放送番組に挿入する字幕素材の再編集を自動で行うことができる。
【０００９】
蓄積部は、それぞれ挿入する放送番組を識別する字幕ＩＤを付加した複数の字幕素材データを格納し、制御部は、指定された字幕ＩＤに対応する字幕素材データについて、蓄積部から字幕素材データをロールごとに順次再生させ、挿入部に再生されたロールを放送番組に挿入させる。
【００１０】
この構成によれば、例えばある時間枠で複数の放送番組が混合してオンエアされる場合であっても、オンエアすべく放送番組に対応する字幕ＩＤを指定するだけで、放送番組に合った字幕素材データを挿入することができる。
【００１１】
ロールまたは再生時間を指定する指定手段を備え、制御部は、ロールまたは再生時間の指定入力に応じてロールまたは再生時間を変更する。
【００１２】
この構成によれば、オペレータがロールまたは再生時間を任意に選択して再生でき、これによりオペレータが必要と判断したロールのみを再生して放送番組に挿入したり、ロールの再生時間を変更したりすることができる。
【発明の効果】
【００１３】
以上詳述したようにこの発明によれば、放送枠の変更や再放送に合わせて、放送番組に挿入する字幕素材の再編集を自動で行い得る字幕送出装置とその字幕編集処理方法を提供することができる。
【発明を実施するための最良の形態】
【００１４】
以下、この発明の実施形態について図面を参照して詳細に説明する。  
図１は、この発明に係る字幕送出装置が適用される放送番組送出システムの構成を示すブロック図である。図１において、番組サーバ１１は予めオンエア用放送番組の番組素材データを格納しておくもので、ＡＰＣ１２から与えられるオンエア指示信号に応じて、該当する番組素材データを選択的に再生する。この再生データは、挿入部１３を介してオンエア出力される。
【００１５】
一方、蓄積部１４は、図２に示すように、番組素材データに対応する字幕ＩＤ（例えば１２３４５６１Ｊ）を付与した字幕素材データを格納しておくもので、ＡＰＣ１２から与えられるオンエア指示信号に応じて、字幕編集装置１５により該当する字幕素材データが読み出されて、挿入部１３に送られる。挿入部１３は、番組素材データに字幕素材データを挿入してオンエア出力する。
【００１６】
字幕編集装置１５は、操作端末１６の操作入力指示に従い、上記蓄積部１４の字幕素材データの書き込み／読み出し制御を行うものであるが、この字幕編集装置１５は、特にこの発明に係る字幕編集機能を搭載する。
【００１７】
上記構成において、以下に上記字幕編集機能の処理について説明する。  
図３は、字幕編集装置１５の処理手順を示すフローチャートである。まず、操作端末１６からの編集指示入力を判断し（ステップＳＴ３ａ）、指示入力があった場合には、上位制御装置（ＥＤＰＳ）１７から、現時点からオンエア開始前までの番組情報を取得する（ステップＳＴ３ｂ）。
【００１８】
続いて、取得された番組情報それぞれ管理情報をＥＤＰＳ１７から取得し（ステップＳＴ３ｃ）、その管理情報からロール記録領域のＩＮ／ＯＵＴ点、収録時間を求め（ステップＳＴ３ｄ）、蓄積部１４中の再生箇所を特定する（ステップＳＴ３ｅ）。
【００１９】
次に、蓄積部１４にロールを指定し、再生箇所となるロールを読み出させる（ステップＳＴ３ｆ）。ここで、字幕編集装置１５は、ロールが送出タイミングに重なるか否かを判定し（ステップＳＴ３ｇ）、重なる場合には（Ｙｅｓ）、重なる部分の字幕ページを削除する（ステップＳＴ３ｈ）。
【００２０】
以上の字幕編集処理を収録時間までの全字幕について繰り返し実行し、全字幕の実行が完了した場合には、編集処理を終了する（ステップＳＴ３ｉ）。
【００２１】
図４は、放送番組に字幕素材が挿入される例を示す。番組サーバ１１に、図４に示すように番組素材データが格納されており、番組のタイムコード（ＴＣ）「１０：００」と「１０：１５」との間にＣＭ（コマーシャル・メッセージ）を挟んでオンエア出力される。このとき、字幕編集装置１５は、ＥＤＰＳ１７から取得する番組情報及び管理情報に従って、蓄積部１４に格納される字幕素材データのＴＣ「１０：１５」を「１１：１５」に修正し、ＴＣ「２８：３０」を「２９：３０」に修正する。
【００２２】
ところで、ロールの時間枠（ＤＴ値）の変更なしで、ＴＣの開始タイミングのみ異なるとき、各字幕ページの送出タイミングのみ更新する。ロールの時間枠の変更が発生するパターンの生成ルールは、以下の通りである。
【００２３】
図５は、頭カット部分の字幕ページを削除する例を示す。  
すなわち、送出タイミングが頭カット部分にある場合に、字幕編集装置１５は頭カット部分にある字幕ページを削除する。なお、送出タイミングが１０：０５の字幕ページがあった場合には、削除しない。
【００２４】
図６は、後カット部分の字幕ページを削除する例を示す。  
すなわち、送出タイミングが２秒前から後カット部分にある場合に、字幕編集装置１５は２秒前から後カット部分にある字幕ページを削除する。そして、後カット１秒前に字幕消去パケットページを挿入する。
【００２５】
図７は、分割部分の字幕ページを削除する例を示す。  
すなわち、送出タイミングが２秒前から分割部分にある場合に、字幕編集装置１５は２秒前から分割部分にある字幕ページを削除する。そして、分割１秒前に字幕消去パケットページを挿入する。
【００２６】
図８は、ＣＭ部分のカットの例を示す。  
すなわち、送出タイミングがロール間に挟まれるＣＭにある場合に、字幕編集装置１５はＣＭ部分をカットする。ロール間のＣＭ部分をカットしても、前後のロールは独立した枠のままとする。この場合、ロールは連続となる。なお、前後のロールで枠時間の重なりがあった場合は、字幕フォーマットエラーとする。
【００２７】
図９は、後延長の例を示す。  
すなわち、ロールの枠時間が後延長になったとき、字幕編集装置１５は特別な処理を行わない。但し、次のロールの枠時間に重なりがあった場合は、字幕フォーマットエラーとする。延長時間帯には、送出する字幕ページが無いので、運用制限として、最大延長時間を３０分とする。
【００２８】
図１０は、前延長の例を示す。  
すなわち、ロールの枠時間が前延長になったとき、字幕編集装置１５は特別な処理を行わない。但し、前のロールの枠時間に重なりがあった場合は、字幕フォーマットエラーとする。前延長の最大時間は、前ＣＭの枠時間もしくは字幕ページなし間隔最大３０分とする。それ以上の場合、前のロールの時間枠に重なりが発生するので、字幕放送フォーマットエラーとする。
【００２９】
以上のように上記実施形態では、オリジナルの字幕素材データを蓄積部１４に１度登録しておくだけで、自動的にあるいは操作端末１６によるオペレータの編集指示入力に従って、字幕編集装置１５にて蓄積部１４に格納された字幕素材データを複数のロールに分割し、ロールごとに字幕素材データを順次再生し、挿入部１３にて放送番組にロールごとの字幕素材データを挿入するようにしている。
【００３０】
従って、放送枠の変更や再放送に合わせて、放送番組に挿入する字幕素材の再編集を自動で行うことができる。
【００３１】
また、上記実施形態では、蓄積部１４に、放送番組を識別する字幕ＩＤを付加した複数の字幕素材データを格納しておくようにしてもよい。そうすると、字幕編集装置１５は、指定された字幕ＩＤに対応する字幕素材データについて、蓄積部１４から字幕素材データをロールごとに順次再生させ、挿入部１３に再生されたロールを放送番組に挿入させる。このようにすると、例えばある時間枠で複数の放送番組が混合してオンエアされる場合であっても、オンエアすべく放送番組に対応する字幕ＩＤを指定するだけで、放送番組に合った字幕素材データを挿入することができる。
【００３２】
さらに、上記実施形態では、字幕編集装置１５は、操作端末１６からのロールまたは再生時間の指定入力に応じてロールまたは再生時間を変更するようにしてもよい。このようにすれば、オペレータがロールまたは再生時間を任意に選択して再生でき、これによりオペレータが必要と判断したロールのみを再生して放送番組に挿入したり、ロールの再生時間を変更したりすることができる。
【００３３】
また、上記実施形態では、番組素材データと字幕素材データとを別々に作成しているので、字幕の修正変更の必要がある場合に、映像もいっしょに修正しなくてもよい。
【００３４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３５】
【図１】この発明に係る字幕送出装置が適用される放送番組送出システムの一実施形態の構成を示すブロック図。
【図２】上記図１に示した蓄積部に格納される字幕素材データのフォーマット例を示す図。
【図３】同実施形態において、字幕編集装置の処理手順を示すフローチャート。
【図４】同実施形態において、放送番組に字幕素材が挿入される例を示す図。
【図５】同実施形態において、頭カット部分の字幕ページを削除する例を示す図。
【図６】同実施形態において、後カット部分の字幕ページを削除する例を示す図。
【図７】同実施形態において、分割部分の字幕ページを削除する例を示す図。
【図８】同実施形態において、ＣＭ部分のカットの例を示す図。
【図９】同実施形態において、後延長の例を示す図。
【図１０】同実施形態において、前延長の例を示す図。
【符号の説明】
【００３６】
１１…番組サーバ、１２…ＡＰＣ、１３…挿入部、１４…蓄積部、１５…字幕編集装置、１６…操作端末、１７…ＥＤＰＳ。
【図１】
2010074658.tif 000003
【図２】
2010074658.tif 000004
【図３】
2010074658.tif 000005
【図４】
2010074658.tif 000006
【図５】
2010074658.tif 000007
【図６】
2010074658.tif 000008
【図７】
2010074658.tif 000009
【図８】
2010074658.tif 000010
【図９】
2010074658.tif 000011
【図１０】
2010074658.tif 000012